【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
第１の表面副層、第２の表面副層および任意で前記第１と第２の表面副層間に挟まれた１つ以上の内側副層を含む多層フィルムまたはシートであって、前記第１の表面副層が酸ターポリマーを含み；前記第２の表面副層、前記任意の内側副層の少なくとも１つ、またはその両方が、高融点ポリマーを含み；前記酸ターポリマーが、α−オレフィンから誘導された繰り返し単位、前記ターポリマーの総重量を基準として、約５〜約１５重量％の３〜８個の炭素を有するα，β−エチレン性不飽和カルボン酸および約１５〜約４０重量％の４〜１２個の炭素を有するα，β−エチレン性不飽和カルボン酸エステルを含み；前記高融点ポリマーの融点が少なくとも約８０℃である、多層フィルムまたはシート。
【請求項２】
請求項１に記載の多層フィルムまたはシートの少なくとも１つの層を含む物品。
【請求項３】
１つまたは複数の電子相互接続太陽電池で形成された太陽電池コンポーネントをさらに含み；前記太陽電池が、多結晶太陽電池、薄膜太陽電池、化合物半導体太陽電池、アモルファスシリコン太陽電池または２つ以上の組み合わせである、太陽電池プレラミネートアセンブリである請求項２に記載の物品。
【請求項４】
（ｉ）太陽電池プレラミネーションアセンブリを提供する工程と、（ｉｉ）前記アセンブリをラミネートして太陽電池モジュールを形成する工程とを含み、前記アセンブリが請求項３に記載されたものである、方法。
【手続補正２】
【補正対象書類名】明細書
【補正対象項目名】０１４５
【補正方法】変更
【補正の内容】
【０１４５】
実施例Ｅ４７〜６０
上の表３に示す一連の１２×１２インチ（３０５×３０５ｍｍ）の太陽電池ラミネート構造を組立て、ラミネーションプロセス２によりラミネートする。層１および２は、それぞれ、入射層およびフロントカプセル材層を構成し、層４および５は、それぞれ、バックカプセル材層およびバッキング層を構成する。
次に、本発明の態様を示す。
１.  第１の表面副層、第２の表面副層および任意で前記第１と第２の表面副層間に挟まれた１つ以上の内側副層を含む多層フィルムまたはシートであって、前記第１の表面副層が酸ターポリマーを含み；前記第２の表面副層、前記任意の内側副層の少なくとも１つ、またはその両方が、高融点ポリマーを含み；前記酸ターポリマーが、α−オレフィンから誘導された繰り返し単位、前記ターポリマーの総重量を基準として、約５〜約１５重量％の３〜８個の炭素を有するα，β−エチレン性不飽和カルボン酸および約１５〜約４０重量％の４〜１２個の炭素を有するα，β−エチレン性不飽和カルボン酸エステルを含み；前記高融点ポリマーの融点が少なくとも約８０℃である、多層フィルムまたはシート。
２.  前記第２の表面副層が前記高融点ポリマーを含む、上記１に記載のフィルムまたはシート。
３.  前記１つ以上の内側副層が存在し、少なくともその１つが、前記高融点ポリマーを含み、前記高融点ポリマーがイオノマーである、上記１または２に記載のフィルムまたはシート。
４.  前記２つの表面副層のそれぞれが、前記ターポリマーの総重量を基準として、約７〜１１重量％のα，β−エチレン性不飽和カルボン酸の繰り返し単位および約２０〜約３０重量％のα，β−エチレン性不飽和カルボン酸エステルの繰り返し単位を含み；前記内側副層の少なくとも１つが前記高融点ポリマーを含み；前記高融点ポリマーがイオノマーで、融点が少なくとも９０℃である、上記１〜３のいずれか１項に記載のフィルムまたはシート。
５.  前記酸ターポリマーを含む表面副層のそれぞれの厚さが、約０．５ミル（０．０１３ｍｍ）〜約５ミル（０．１３ｍｍ）であり；前記高融点ポリマーを含む内側副層のそれぞれの厚さが、約０．５ミル（０．０１３ｍｍ）〜約１２０ミル（３ｍｍ）であり；前記多層フィルムまたはシートの合計の厚さが、約２ミル（０．０５１ｍｍ）〜約２５０ミル（６．３５ｍｍ）の範囲である、上記３に記載のフィルムまたはシート。
６.  上記１〜５のいずれか１項に記載の多層フィルムまたはシートの少なくとも１つの層を含む物品。
７.  剛性シートまたはポリマーフィルムを含むかまたはそれで形成された少なくとも１つの外側ラミネート層をさらに含み、前記剛性シートが、ポリカーボネート、アクリル、ポリアクリレート、環状ポリオレフィン、ポリスチレン、ポリアミド、ポリエステル、フルオロポリマーまたはこれらの２つ以上の組み合わせで形成されたガラスおよび剛性ポリマーシートからなる群から選択され、前記ポリマーフィルムが、ポリエステル、ポリ（エチレンナフタレート）、ポリカーボネート、ポリオレフィン、ノルボルネンポリマー、ポリスチレン、スチレン−アクリレートコポリマー、アクリロニトリル−スチレンコポリマー、ポリスルホン、ナイロン、ポリウレタン、アクリル、酢酸セルロース、セロファン、ポリ（塩化ビニル）、フルオロポリマーおよびこれらの２つ以上の組み合わせからなる群から選択されるポリマー材料を含む、安全ラミネートである上記６に記載の物品。
８.  前記安全ラミネートが、２つの外側ラミネート層および前記２つの外側ラミネート層間に挟まれた中間層を含み；前記２つの外側ラミネート層が、それぞれ、独立して、前記剛性シートまたは前記ポリマーフィルムおよび、任意で、他のポリマーフィルムまたはシートを含むかまたはそれで形成されており；前記中間層が、約１０ミル（０．２５ｍｍ）〜約２５０ミル（６．３５ｍｍ）の厚さを有するフィルムまたはシートを含み；前記多層フィルムまたはシートの厚さが約１５ミル（０．３８ｍｍ）〜約９０ミル（２．２８ｍｍ）で、２つのガラスシート間に挟まれ；前記ポリエステルフィルムが、前記外側表面にハードコーティングされていてもよい、上記６または７に記載の物品。
９.  １つまたは複数の電子相互接続太陽電池で形成された太陽電池コンポーネントをさらに含み；前記太陽電池が、多結晶太陽電池、薄膜太陽電池、化合物半導体太陽電池、アモルファスシリコン太陽電池または２つ以上の組み合わせである、太陽電池プレラミネートアセンブリである上記６〜８のいずれか１項に記載の物品。
１０.  前記物品が、前記太陽電池コンポーネントの受光側の隣に位置するフロントカプセル材層と、前記太陽電池コンポーネントの裏側に位置するバックカプセル材層とを含み、前記フロントカプセル材層が、厚さ約２ミル（０．０５１ｍｍ）〜約２０ミル（０．５１ｍｍ）の多層フィルムまたはシートで形成されており、前記バックカプセル材層が、酸コポリマー、イオノマー、エチレン酢酸ビニル、ポリ（ビニルアセタール）、ポリウレタン、ポリ塩化ビニル、ポリエチレン、ポリオレフィンブロックエラストマー、ポリ（α−オレフィン−コ−α，β−エチレン性不飽和カルボン酸エステル）コポリマー、シリコーンエラストマー、エポキシ樹脂またはこれらの２つ以上の組み合わせで形成されている、上記９に記載の物品。
１１.  前記フロントカプセル材層および前記バックカプセル材層が、前記多層フィルムまたはシートを含むかまたはそれで形成されており、前記物品が、前記フロントカプセル材層の隣に位置する入射層および前記バックカプセル材層に位置するバッキング層を好ましくはさらに含み、前記入射層が、（ｉ）ガラスシート、（ｉｉ）ポリカーボネート、アクリル、ポリアクリレート、環状ポリオレフィン、ポリスチレン、ポリアミド、ポリエステル、フルオロポリマーまたはこれらの２つ以上の組み合わせで形成されたポリマーシートあるいは（ｉｉｉ）ポリエステル、ポリ（エチレンナフタレート）、ポリカーボネート、ポリオレフィン、ノルボルネンポリマー、ポリスチレン、スチレン−アクリレートコポリマー、アクリロニトリル−スチレンコポリマー、ポリスルホン、ナイロン、ポリウレタン、アクリル、酢酸セルロース、セロファン、ポリ（塩化ビニル）、フルオロポリマーまたはこれらの２つ以上の組み合わせで形成されたポリマーフィルムである、上記１０に記載の物品。
１２.  前記バッキング層が、（ｉ）ガラスシート、（ｉｉ）ポリマーシート、（ｉｉｉ）ポリマーフィルム、（ｉｖ）金属シートおよび（ｖ）セラミック板を含むかまたはそれで形成されており、前記ポリマーシートが、ポリカーボネート、アクリル、ポリアクリレート、環状ポリオレフィン、ポリスチレン、ポリアミド、ポリエステル、フルオロポリマーまたはこれらの２つ以上の組み合わせを含むかまたはそれで形成されており、前記ポリマーフィルムが、ポリエステル、ポリ（エチレンナフタレート）、ポリカーボネート、ポリオレフィン、ノルボルネンポリマー、ポリスチレン、スチレン−アクリレートコポリマー、アクリロニトリル−スチレンコポリマー、ポリスルホン、ナイロン、ポリウレタン、アクリル、酢酸セルロース、セロファン、ポリ（塩化ビニル）、フルオロポリマーおよびこれらの２つ以上の組み合わせを含むかまたはそれで形成されている、上記１１に記載の物品。
１３.  上から下に順に、（ｉ）入射層、（ｉｉ）その隣に位置するフロントカプセル材層、（ｉｉｉ）その隣に位置する太陽電池コンポーネント、（ｉｖ）その隣に位置するバックカプセル材層、（ｖ）その隣に位置するバッキング層から実質的になる、上記６〜１２のいずれか１項に記載の物品。
１４.  （ｉ）太陽電池プレラミネーションアセンブリを提供する工程と、（ｉｉ）前記アセンブリをラミネートして太陽電池モジュールを形成する工程とを含み、前記アセンブリが上記９〜１２のいずれか１項に記載されたものである、方法。
１５.  前記ラミネートする工程が、前記アセンブリに熱を与えることにより実施され、好ましくは前記アセンブリを真空に供することをさらに含む、上記１４に記載の方法。